(57)【要約】  本発明は、急速熱処理装置の分離型ヒータブロックに関するもので、加熱ランプが挿入されるランプ挿入孔が複数形成される板状のランプハウジングと、ランプハウジングの上側に分離可能に覆われ、加熱ランプのソケットが挿入されるソケットハウジングと、前記ランプ挿入孔に対応する位置に光放出孔が形成され、光放出孔に加熱ランプの下端が挿入されるようにランプハウジングの下側に分離可能に設置され、光放出孔の側壁が反射板としての役割を行う反射ハウジングと、を含み、反射ハウジングには光放出孔の側壁に冷却水が流れるように冷却水流路が形成されることを特徴とする。【選択図】図１
2011505707.tif 000002
【特許請求の範囲】
【請求項１】
加熱ランプが挿入されるランプ挿入孔が複数形成される板状のランプハウジングと、
前記ランプハウジングの上側に分離可能に覆われ、前記加熱ランプのソケットが挿入されるソケットハウジングと、
前記ランプ挿入孔に対応する位置に光放出孔が形成され、前記光放出孔に前記加熱ランプの下端が挿入されるように前記ランプハウジングの下側に分離可能に設置され、前記光放出孔の側壁が反射板としての役割を行う反射ハウジングと、を含み、
前記反射ハウジングには、前記光放出孔の側壁に冷却水が流れるように冷却水流路が形成されることを特徴とする急速熱処理装置のヒータブロック。
【請求項２】
前記ランプハウジングのランプ挿入孔の側壁には冷却水が流れるように冷却水流路が形成されることを特徴とする、請求項１に記載の急速熱処理装置のヒータブロック。
【請求項３】
前記ソケットハウジングに冷却気体が流れるように前記ソケットハウジングに冷却気体流出入口が設けられることを特徴とする、請求項１に記載の急速熱処理装置のヒータブロック。
【請求項４】
前記ソケットハウジングとランプハウジングとの間及び前記ランプハウジングとソケットハウジングとの間は、Ｏリングが介在された状態でクランプによって密着固定されることを特徴とする、請求項１に記載の急速熱処理装置のヒータブロック。
【発明の詳細な説明】
【技術分野】
【０００１】
本発明は、急速熱処理装置のヒータブロックに関するもので、特に、分離型ヒータブロックに関するものである。
【背景技術】
【０００２】
急速熱処理（ＲＴＰ）装置においては、短い時間内に基板を所望の温度にまで加熱することが最も重要である。このような急速加熱は、必ず基板の均一加熱を前提にして行わなければならない。均一な加熱のために加熱ランプの多様な配置が提示されているが、ヒータブロックが一体型となっているので、工程変化による加熱ランプの再配置は事実上不可能である。
【０００３】
また、ヒータブロックで最も多くの電力が消耗されるので、この部分が急速熱処理装置において最も重要な部分であると言える。しかし、それにもかかわらず、ヒータブロックが一体型となっているので、この部分において熱による損傷及びその他の原因による不良が発生する場合、該当部分を簡単に取り替えることが難しく、メンテナンスにおいて困難が多い。
【０００４】
そして、加熱ランプから出る光が基板側に向かうようにし、急速加熱効率を増加させる反射板が各加熱ランプ間に設置されるが、このような反射板が却って第２の間接的熱源として作用し、基板が不均一に加熱されるという問題がある。
【０００５】
このように従来の急速熱処理装置においては、ヒータブロックが一体型となっているので、メンテナンスや加熱ランプの再配置が難しく、冷却が充分に行われず、基板が不均一に加熱されるという問題がある。
【発明の概要】
【発明が解決しようとする課題】
【０００６】
本発明が解決しようとする技術的課題は、ヒータブロックを分離型にすることによって、メンテナンス及び加熱ランプの再配置が容易になると同時に、部分別冷却が可能になり、基板の不均一な加熱を防止することができる急速熱処理装置のヒータブロックを提供することにある。
【課題を解決するための手段】
【０００７】
前記技術的課題を達成するための本発明に係る急速熱処理装置のヒータブロックは、加熱ランプが挿入されるランプ挿入孔が複数形成される板状のランプハウジングと、前記ランプハウジングの上側に分離可能に覆われ、前記加熱ランプのソケットが挿入されるソケットハウジングと、前記ランプ挿入孔に対応する位置に光放出孔が形成され、前記光放出孔に前記加熱ランプの下端が挿入されるように前記ランプハウジングの下側に分離可能に設置され、前記光放出孔の側壁が反射板としての役割を行う反射ハウジングとを含み、前記反射ハウジングには、前記光放出孔の側壁に冷却水が流れるように冷却水流路が形成されることを特徴とする。
【０００８】
前記ランプハウジングのランプ挿入孔の側壁には冷却水が流れるように冷却水流路が形成されることが望ましい。
【０００９】
前記ソケットハウジングに冷却気体が流れるように前記ソケットハウジングに冷却気体流出入口が設けられることが望ましい。
【００１０】
前記ソケットハウジングとランプハウジングとの間及び前記ランプハウジングとソケットハウジングとの間は、Ｏリングが介在された状態でクランプによって密着固定されることが望ましい。
【発明の効果】
【００１１】
本発明によれば、ヒータブロックが分離可能であって、メンテナンスが容易であるとともに、ランプハウジングと反射ハウジングにインクカートリッジのように冷却水が充填されるので、加熱による部品の損傷及び第２の熱源による基板の不均一な加熱を防止できるようになる。
【図面の簡単な説明】
【００１２】
【図１】本発明に係る急速熱処理装置のヒータブロックを説明するための図である。
【発明を実施するための形態】
【００１３】
以下、本発明の好適な実施例を添付の図面を参照して詳細に説明する。下記の実施例は、本発明の内容を理解するために提示されたものに過ぎず、当分野で通常の知識を有する者であれば、本発明の技術的思想内で多くの変形が可能であろう。したがって、本発明の権利範囲は、このような実施例に限定されるものと解釈されてはならない。
【００１４】
図１は、本発明に係る急速熱処理装置用ヒータブロックを説明するための図である。図１を参照すれば、本発明に係るヒータブロックにおいては、大きくランプハウジング５０、ソケットハウジング３０及び反射ハウジング６０が分離可能に構成される。
【００１５】
ランプハウジング５０は、板状をなしており、複数のランプ挿入孔が垂直に貫通して形成される。ランプハウジング５０の上側にはソケットハウジング３０が覆われる。
【００１６】
ランプハウジング５０とソケットハウジング３０は、その間にＯリング３８が介在された状態でクランプ３７によって密着される。電力源１０を介して電力を受ける加熱ランプ４０は、ランプソケット５６がソケットハウジング３０に挿入され、光を発するランプの下端５５が下側に向かうようにランプハウジング５０に挿入される。
【００１７】
反射ハウジング６０は、板状をなしており、前記ランプ挿入孔に対応する位置に光放出孔６６が形成され、光放出孔６６に加熱ランプ４０の下端５５が挿入されるように設置される。反射ハウジング６０とランプハウジング５０はクランプ５７で密着され、反射ハウジング６０とランプハウジング５０との間にはＯリング５８が介在される。
【００１８】
光放出孔６６は、下側に行くほど幅が広くなる逆円錐台状をなしており、光放出孔６６の側壁が反射板６５になる。反射板６５としての役割を行うために、光放出孔６６の側壁は、光を反射可能な材質からなるか、そのような材質でコーティングされなければならない。
【００１９】
反射ハウジング６０には冷却水流入口６９ａと冷却水排出口６９ｂが形成されており、反射板６５の内部には冷却水が流れるように冷却水流路が形成されている。ランプハウジング５０にも冷却水流入口５９ａと冷却水排出口５９ｂが形成されており、前記ランプ挿入孔間の側壁には冷却水が流れるように冷却水流路が形成されている。参照符号５９と６９は、ランプハウジング５０及び反射板６５に充填されている冷却水を示している。
【００２０】
ランプハウジング５０とソケットハウジング３０との間の空間にＮ２のような冷却気体が流れるように、ソケットハウジング３０に冷却気体流入口３９ａ及び冷却気体流出口３９ｂが形成される。したがって、ランプソケット５６は冷却気体（Ｎ２）によって冷却される。
【００２１】
反射ハウジング６０には、ヒータブロックの下側に位置する熱処理空間に雰囲気ガス、例えば、Ｎ２ガスを流し込むための雰囲気ガス流入口７９ａ及び雰囲気ガス流出口７９ｂが形成される。
【００２２】
上述した構成によれば、ヒータブロックは、大きく三つの部分、すなわち、ソケットハウジング３０、ランプハウジング５０及び反射ハウジング６０に分離可能になる。したがって、ヒータブロックの特定部分が熱やその他の原因によって損傷されるとしても、これらの分解によって関連部分を容易に修理できるようになる。また、反射板６５も冷却されるので、反射板６５が意図しない第２の熱源として作用することが防止される。
【図１】
2011505707.tif 000003
【国際調査報告】
2011505707.tif 000004
2011505707.tif 000005